(57)【要約】【課題】ショッピングセンターの買い物客に対して情報を提供する情報提供システム、通信装置、及び、情報提供方法に関し、携帯端末装置に各種情報を提供できる情報提供システム、及び、情報提供方法を提供することを目的とする。【解決手段】本発明は、買い物客により携帯され、ネットワーク及び近距離無線通信により通信可能とされている携帯端末装置と、携帯端末装置と前記近距離無線通信により通信可能とされている通信装置と、ネットワークを介して携帯端末装置と通信を行い、携帯端末装置に情報を提供するとともに、通信装置を介して近距離無線通信により携帯端末装置に情報を提供する情報提供装置とを有することを特徴とする。【選択図】図１
2008242810.tif 000002
【特許請求の範囲】
【請求項１】
買い物客により携帯され、ネットワーク及び無線通信により通信可能とされている携帯端末装置と、
前記携帯端末装置と前記無線通信により通信可能とされている通信装置と、
前記ネットワークを介して前記携帯端末装置と通信を行い、前記携帯端末装置に情報を提供するとともに、前記通信装置を介して前記無線通信により前記携帯端末装置に情報を提供する情報提供装置とを有する情報提供システム。
【請求項２】
前記無線通信は、近距離無線通信である請求項１記載の情報提供システム。
【請求項３】
前記近距離無線通信は、無線ＵＷＢ通信である請求項２記載の情報提供システム。
【請求項４】
前記携帯端末装置は、携帯電話機である請求項１記載の情報提供システム。
【請求項５】
前記情報提供装置は、前記通信装置と前記携帯端末装置とが無線通信可能なときには前記通信装置を用いて前記無線通信により前記携帯端末装置に情報を提供する請求項１記載の情報提供システム。
【請求項６】
前記携帯端末装置は、無線通信を行うための通信手段が起動されたときに、前記通信装置と通信を可能となる請求項１記載の情報提供システム。
【請求項７】
前記情報提供装置は、前記携帯端末装置からの要求に基づいて情報を提供する請求項１記載の情報提供システム。
【請求項８】
前記通信装置は、前記携帯端末装置に応答を要求してから前記携帯端末装置から応答があるまでの応答時間を検出し、前記応答時間を前記情報提供装置に送信し、
前記情報提供装置は、前記通信装置から送信された前記応答時間に基づいて前記携帯端末装置の位置を検出し、前記携帯端末装置の位置に基づいて前記携帯情報端末に情報を提供する請求項１記載の情報提供システム。
【請求項９】
買い物客により携帯され、ネットワーク及び無線通信により通信可能とされた携帯端末装置に情報提供装置から通信装置を介して情報を提供する情報提供方法であって、
前記携帯端末装置が前記無線通信により通信可能なときには、前記無線通信により前記携帯端末装置に情報を提供し、
前記携帯端末装置が前記無線通信により通信を行えないときには、前記ネットワークにより前記携帯端末装置に情報を提供する情報提供方法。
【請求項１０】
前記無線通信は、近距離無線通信である請求項９記載の情報提供方法。
【請求項１１】
前記近距離無線通信は、無線ＵＷＢ通信である請求項９記載の情報提供方法。
【請求項１２】
前記携帯端末装置は、携帯電話機である請求項９記載の情報提供方法。
【請求項１３】
前記携帯端末装置により前記無線通信を行うための通信手段が起動されたときに、前記無線通信を用いて前記無線通信により前記携帯端末装置に前記情報提供装置から情報を提供する請求項９記載の情報提供方法。
【請求項１４】
前記携帯端末装置からの要求に基づいて前記情報提供装置から前記携帯端末装置に情報を提供する請求項９記載の情報提供方法。
【請求項１５】
前記通信装置により前記携帯端末装置に応答を要求してから前記携帯端末装置から応答があるまでの応答時間を検出し、前記応答時間を前記情報提供装置に送信し、
前記情報提供装置により前記通信装置から送信された前記応答時間に基づいて前記携帯端末装置の位置を検出し、前記携帯端末装置の位置に基づいて前記携帯情報端末に情報を提供する請求項９記載の情報提供方法。
【発明の詳細な説明】
【技術分野】
【０００１】
本発明は情報提供システム、及び、情報提供方法に係り、特に、ショッピングセンターの買い物客に対して情報を提供する情報提供システム、及び、情報提供方法に関する。
【背景技術】
【０００２】
近年、ショッピングセンターなどにおいては、店舗内で買い物客に商品情報を提供したり、店舗外で顧客に新製品、特売などの情報を提供したりすることにより、買い物客の購買意欲を向上させたい要望がある。このような要望を満足するために、ショッピングカートに端末装置を設け、ショッピングカートの位置に応じて陳列商品の情報を端末装置に表示させるようにしたシステム提案がある（例えば、特許文献１参照）。
【０００３】
一方、近年、携帯電話の発達に伴い、買い物客はほとんど各人、携帯電話を所持しており、情報交換は携帯電話を用いて行われるようになっている。
【０００４】
このため、買い物客はショッピングセンターなどの特売、新製品、商品情報などを自分の所持する携帯電話を用いて表示したい要求がある。
【０００５】
このような要望を満たすためにショッピングカートに搭載されたパソコンや携帯電話に商品情報などを表示させるシステムが提案されている（例えば、特許文献２参照）。
【０００６】
また、携帯電話を用いたシステムとしては、携帯電話に買い物リストを記憶させ、店舗で携帯電話に記憶させた買い物リストをカートに設けられた表示装置に表示させるシステムが提案されている（例えば、特許文献３参照）。
【特許文献１】特開２００４−１１０８０５号公報
【特許文献２】特開２００６−１１６１７号公報
【特許文献３】特開２００２−２５９６８３号公報
【発明の開示】
【発明が解決しようとする課題】
【０００７】
しかるに、従来のこの種のシステムは、店舗内でのサービスにとどまるとともに、買い物客への情報提供は、買い物客からの要求に委ねられていた。このため、店舗側から積極的に特売、新製品などの情報を提供することはできなかった。
【０００８】
本発明は上記の点に鑑みてなされたもので、携帯端末装置に各種情報を提供できる情報提供システム、及び、情報提供方法を提供することを目的とする。
【課題を解決するための手段】
【０００９】
本発明は、買い物客により携帯され、ネットワーク及び無線通信により通信可能とされている携帯端末装置と、携帯端末装置と無線通信により通信可能とされている通信装置と、ネットワークを介して携帯端末装置と通信を行い、携帯端末装置に情報を提供するとともに、通信装置を介して無線通信により携帯端末装置に情報を提供する情報提供装置とを有することを特徴とする。
【００１０】
また、無線通信は、近距離無線通信であることを特徴とする。さらに、近距離無線通信は、無線ＵＷＢ通信であることを特徴とする。また、携帯端末装置は携帯電話機であることを特徴とする。
【００１１】
情報提供装置は、通信装置と携帯端末装置とが無線通信可能なときには通信装置を用いて無線通信により携帯端末装置に情報を提供させることを特徴とする。
【００１２】
携帯端末装置は、無線通信を行うための通信手段が起動されたときに通信装置と通信を可能となることを特徴とする。
【００１３】
情報提供装置は、携帯端末装置からの要求に基づいて情報を提供することを特徴とする。
【００１４】
通信装置は携帯端末装置に応答を要求してから携帯端末装置から応答があるまでの応答時間を検出し、応答時間を情報提供装置に送信し、情報提供装置は通信装置から送信された応答時間に基づいて携帯端末装置の位置を検出し、携帯端末装置の位置に基づいて携帯情報端末に情報を提供することを特徴とする。
【発明の効果】
【００１５】
本発明によれば、携帯端末装置が近距離無線通信により通信可能なときには、近距離通信により携帯端末装置に情報を提供し、携帯端末装置が近距離無線通信により通信を行えないときには、ネットワークにより携帯端末装置に情報を提供することにより、店舗内外問わずに買い物客に特売、商品などの情報を提供でき、また、店舗内においては近距離無線通信を用いて携帯端末装置の位置を検知し、携帯端末装置の位置に対応した情報を提供でき、買い物客への情報提供をよりきめ細やかに行うことができ、よって、買い物客へのサービス向上を図ることができる。
【発明を実施するための最良の形態】
【００１６】
図１は本発明の一実施例のシステム構成図を示す。
【００１７】
本実施例の情報提供システム１００は、携帯端末装置１１１、固定通信装置１１２、情報提供装置１１３、カート端末装置１１４、ＰＯＳシステム１１５から構成されている。
【００１８】
携帯端末装置１１１は、買い物客により携帯され、ネットワーク１０１、及び、近距離無線通信１０２により通信可能とされている。なお、近距離無線通信は、例えば、無線ＵＷＢ（Ultra-Wide-Band；超広帯域）通信である。
【００１９】
固定通信装置１１２は、ショッピングセンター内の商品棚１０２などに一定間隔で配置されており、携帯端末装置１１１と近距離無線通信１０３により通信可能とされている。また、固定通信装置１１２は、携帯端末装置１１１の位置情報を検出し、情報提供装置１１３に提供する。
【００２０】
情報提供装置１１３は、コンピュータシステムから構成されており、固定通信装置１１２を介して近距離無線通信１０３により携帯端末装置１１１に情報を提供するとともに、ネットワーク１０１に接続されており、ネットワーク１０１を介して携帯端末装置１１１に情報を提供する。
【００２１】
携帯端末装置１１１の構成について説明する。
【００２２】
図２は携帯端末装置１１１のブロック構成図を示す。
【００２３】
携帯端末装置１１１は、例えば、近距離無線通信機能を有する携帯電話機であり、アンテナ装置１２１、第１通信回路１２２、処理装置１２３、マイクロフォン１２４、スピーカ１２５、表示装置１２６、入力装置１２７、第２通信回路１２８、ＵＷＢアンテナ装置１２９、メモリ１３０、電池パックBATTから構成されている。
【００２４】
アンテナ装置１２１は、ネットワーク１０１と無線通信を行うためのアンテナであり、第１通信回路１２２に接続されている。第１通信回路１２２は、携帯電話通信網との通信を行うための変復調処理、通信制御などの処理を行う。処理装置１２３は、インストールされたプログラムに基づいて音声処理、表示処理などを行う。
【００２５】
マイクロフォン１２４及びスピーカ１２５は、例えば、電話時に音声の入出力に用いられる。
【００２６】
表示装置１２６は、例えば、ＬＣＤなどから構成されており、画像、情報提供装置１１３からの情報を表示するものである。入力装置１２７は、キースイッチ、ポインティングデバイスかどから構成されており、各種コマンド、電話番号などの入力に用いられる。
【００２７】
第２通信回路１２８は、及びアンテナ装置１２９は、近距離無線通信を行うためのユニットであり、第２通信回路１２８は、例えば、ＵＷＢ通信ＩＣチップから構成されており、近距離無線通信を行うための変復調、通信制御などの処理を行う。アンテナ装置１２９は、近距離無線通信を行うためのアンテナ装置であり、例えば、ＵＷＢの電波を送受信することが可能な構成とされている。
【００２８】
図３はＵＷＢアンテナ装置１２９の斜視図を示す。
【００２９】
ＵＷＢアンテナ装置１２９は、フレキシブルプリント配線板１３１上にエレメントパターン１３２、グランドパターン１３３を形成し、エレメントパターン１３１及びグランドパターン１３３に表面実装ソケットコネクタ１３４を半田付けした構成とされており、携帯端末装置１１１に内蔵されている。表面実装ソケットコネクタ１３４には、同軸ケーブル１４６の一端が接続されたプラグコネクタ１３５が接続される。同軸ケーブル１３６の他端は、第２通信回路１２８に接続されている。
【００３０】
メモリ１３０には、近距離無線通信を行うための通信手段である通信アプリケーションなど処理装置１２３で実行される各種アプリケーションがインストールされている。このとき、携帯端末装置１１１は、通信アプリケーションが起動したときに第２通信回路１２８、ＵＷＢアンテナ装置１２９を用いて固定通信装置１１２と通信を可能とする。また、電池パックＢＡＴＴは、各部に電源電圧を供給する。
【００３１】
次に、固定通信装置１１２の構成について説明する。
【００３２】
図４は固定通信装置１１２のブロック構成図を示す。
【００３３】
固定通信装置１１２は、店舗内の商品棚１０２などに固定されており、ＵＷＢアンテナ装置１４１、ＵＷＢ通信ＩＣチップ１４２、処理装置１４３、メモリ１４４、通信回路１４５、電源回路１４６から構成されている。
【００３４】
ＵＷＢアンテナ装置１４１は、図３に示すＵＷＢアンテナ装置１２９と同様な構成とされており、ＵＷＢ無線通信の送受信を行う。
【００３５】
ＵＷＢ通信ＩＣチップ１４２は、第２通信回路１２８と同様に近距離無線通信を行うための変復調、通信制御などの処理を行う。
【００３６】
処理装置１４３は、メモリ１４４に予めインストールされた固定通信装置制御プログラムに基づいて各種処理を実行する。
【００３７】
メモリ１４４は、ＲＡＭ・ＲＯＭなどから構成されており、処理装置１４３で実行される端末装置制御プログラムがインストールされるとともに、処理装置１４３での処理の作業用記憶領域として用いられる。通信回路１４５は、ネットワーク１０１との通信制御を行い、情報提供装置１１３及びＰＯＳシステム１１４との通信を行う。
【００３８】
電源回路１４６は、交流電源に接続され、交流電源を直流電源に変換し、ＵＷＢ通信ＩＣチップ１４２、処理装置１４３、メモリ１４４、通信回路１４５などを駆動するための駆動電源を生成する。
【００３９】
次に、ショッピングカート１０４の構成について説明する。
【００４０】
図５はショッピングカート１０１の構成図、図６はカート端末装置１１５のブロック構成図を示す。
【００４１】
端末装置１１０は、カート１０４に装着されて、買い物客とともに移動する。
【００４２】
カート１０４は、基台１５１、かご１５２、車輪１５３、ハンドル１５４から構成されている。カート１０４には、カート端末装置１１５が搭載されている。
【００４３】
カート端末装置１１５は、装置本体１６１、バッテリ１６２、発電機１６３から構成されており、固定通信装置１１２からの応答要求に応答するとともに、固定通信装置１１２から位置及び移動経路に応じて送信された情報を受信し、受信した情報をディスプレイに表示する。装置本体１６１は、ＵＷＢアンテナ装置１７１、ＵＷＢ通信ＩＣチップ１７２、処理装置１７３、表示装置１７４、タッチパネル１７５、メモリ１７６、バーコードリーダ１７７などから構成されている。
【００４４】
ＵＷＢアンテナ装置１７１は、図３に示すＵＷＢアンテナ装置１２９と同じ構成とされており、カート端末装置１１５の固定通信装置１１２とのＵＷＢ無線通信を可能としている。
【００４５】
処理装置１７３は、端末装置制御プログラムに基づいて処理を実行する。表示装置１７４は、例えば、液晶パネルなどから構成されており、処理装置１７３により制御されており、情報提供装置１１３から提供される情報を表示する。
【００４６】
タッチパネル１７５は、表示装置１７４の表示画面の前面に配置され、買い物客の操作により操作される。処理装置１７３は、タッチパネル１７５の操作に基づいて各種処理を実行する。
【００４７】
メモリ１７６は、ＲＡＭ・ＲＯＭなどから構成されており、処理装置１７３で実行される端末装置制御プログラムがインストールされるとともに、処理装置１７３での処理の作業用記憶領域として用いられる。
【００４８】
バーコードリーダ１７７は、商品などに貼付、あるいは、印刷されているバーコードを読み取り、読み取ったコードを処理装置１７３に供給する。処理装置１７３は情報提供装置１１３と通信を行い、商品情報を取得したり、ＰＯＳシステム１１４と通信を行い、読み取ったバーコードに応じて課金などの処理を行ったりする。ＰＯＳシステム１１４などと連動されることにより、これにより買い物をしながら精算処理を実行することができ、レジなどで精算を行う必要がなくなる。
【００４９】
バッテリ１６２は、ショッピングカート１０４の基台１５１に搭載されており、装置本体１６１に電力を供給する。発電機１６３は、ショッピングカート１０４を移動させるための車輪１５３の回転に応じて電力を発生する。発電機１６３で発生した電力は、バッテリ１６２に供給される。バッテリ１６２は、発電機１６３から供給された電力によって充電される。
【００５０】
次に、情報提供装置１１３の構成について説明する。
【００５１】
図７は情報提供装置１１３のブロック構成図を示す。
【００５２】
情報提供装置１１３は、コンピュータシステムから構成されており、通信回路１８１、処理装置１８２、記憶装置１８３、メモリ１８４、入力装置１８５、表示装置１８６、電源回路１８７から構成されている。
【００５３】
通信回路１８１は、ネットワーク１０１との通信制御行い、固定通信装置１１２、ＰＯＳシステム１１４との通信を行う。
【００５４】
処理装置１８２は、記憶装置１８３に予めインストールされた動線管理プログラムに基づいて各種処理を実行する。
【００５５】
記憶装置１８３は、ハードディスク装置などから構成されており、情報提供プログラムがインストールされているとともに、動線管理プログラムに基づいて固定通信装置１１２から通知される携帯端末装置１１１の応答時間に基づいて求められた端末装置１１１の位置情報を記憶する。
【００５６】
メモリ１８４は、ＲＡＭ、ＲＯＭなどより構成されており、処理装置１８２の作業用記憶領域として用いられる。
【００５７】
入力装置１８５は、キーボード、マウスなどから構成されており、コマンドの発行、データの入力などを行う場合に用いられる。
【００５８】
表示装置１８６は、ＣＲＴ、ＬＣＤなどから構成され、処理装置１８２から供給されるグラフィック画面を表示する。
【００５９】
電源回路１８７は、交流電源に接続され、交流電源を直流電源に変換し、通信回路１８１、処理装置１８２、記憶装置１８３、メモリ１８４などを駆動するための駆動電源を生成する。
【００６０】
次に、情報提供システム１００の動作を説明する。
【００６１】
図８は情報提供システム１００の処理フローチャートを示す。
【００６２】
携帯端末装置１１１は買い物客により所持されている携帯電話機であり、ステップＳ１−１で、ショッピングセンターの店舗内で買い物客の操作により、ＵＷＢ通信アプリケーションが起動すると、ステップＳ１−２でＵＷＢ通信要求を固定通信装置１１２に送信する。
【００６３】
固定通信装置１１２は、ステップＳ２−１でＵＷＢ通信要求を受信すると、ステップＳ２−２で通信許可通知を携帯端末装置１１１に通知する。
【００６４】
携帯端末装置１１１は、ステップＳ１−３で通信許可通知を受信し、固定通信装置１１２との通信が確立する。
【００６５】
一方、情報提供装置１１３は、ステップＳ３−１、Ｓ３−２で一定時間毎に応答時間情報要求を、ネットワーク１０１を介して固定通信装置１１２に送信する。なお、応答時間情報要求には、位置を検出しようとする携帯端末装置１１１の識別情報が付与される。
【００６６】
固定通信装置１１２は、ステップＳ２−３で情報提供装置１１３からの応答時間情報要求を受信すると、ステップＳ２−４で内蔵タイマを起動し、ステップＳ２−５で応答要求をＵＷＢ無線通信１０３により送信する。なお、応答要求には、応答を要求する携帯端末装置１１１の識別情報が付与される。
【００６７】
携帯端末装置１１１は、ステップＳ１−４で固定通信装置１２０からの応答要求を受信すると、ステップＳ１−５で識別情報が自装置に予め付与された識別情報と一致するか否かを判定する。携帯端末装置１１１は、ステップＳ１−５で応答要求に付与された識別情報と自装置の識別情報とが一致すれば、ステップＳ１−６でＵＷＢ無線通信１０３により固定通信装置１１２に応答を送信する。なお、このとき、ＵＷＢ無線通信１０３を用いることにより高精度に応答時間の測定が可能であり、よって、携帯端末装置１１１の位置を高精度の検知することが可能となる。
【００６８】
固定通信装置１１２はステップＳ２−６で端末装置１１０から応答を受信すると、ステップＳ２−７で内蔵タイマの計時時間を参照して、応答時間を検出する。固定通信装置１１２は、ステップＳ２−８で検出した応答時間に応答した携帯端末装置１１１の識別情報を付与した応答時間情報を、ネットワーク１０１を介して情報提供装置１１３に送信する。
【００６９】
情報提供装置１１３は、ステップＳ３−３で固定通信装置１１２から応答時間情報を受信すると、ステップＳ３−４で応答時間情報から携帯端末装置１１１の位置を検知する。
【００７０】
図９は端末装置１１１の位置検出方法を説明するための図を示す。
【００７１】
例えば、３つの固定通信装置１１２ａ、１１２ｂ、１１２ｃで一つの端末装置１１０からの応答を受信し、その応答時間Ｔａ、Ｔｂ、Ｔｃを検出したとする。応答時間Ｔａは固定通信装置１１２ａと携帯端末装置１１１との距離Ｌａに対応しており、応答時間Ｔｂは固定通信装置１１２ｂと携帯端末装置１１１との距離Ｌｂに対応しており、応答時間Ｔｃは、固定通信装置１１２ｃと携帯端末装置１１１との距離Ｌｃに対応している。
【００７２】
したがって、応答時間Ｔａ、Ｔｂ、Ｔｃを検出し、３つの固定通信装置１１２ａ、１１２ｂ、１１２ｃの座標と携帯端末装置１１１までの距離Ｌａ、Ｌｂ、Ｌｃを求めることができ、３つの固定通信装置１１２ａ、１１２ｂ、１１２ｃは固定されており、各々の位置（座標）は決まっているので、距離Ｌａ、Ｌｂ、Ｌｃに基づいて携帯端末装置１１１の位置（座標）を特定できる。なお、固定通信装置１１２の位置（座標）の情報提供装置１１３への登録は、例えば、固定通信装置１１２にＧＰＳなどによる位置検出装置を搭載し、固定通信装置１１２の位置を検出し、情報提供装置１１３に通知し、登録するようにする。
【００７３】
次に、情報提供装置１１３は、ステップＳ３−４で検知された携帯端末装置１１１の位置情報を、ステップＳ３−５で記憶装置１８３に記憶する。
【００７４】
情報提供装置１１３は、ステップＳ３−４で携帯端末装置１１１の位置が検出されると、ステップＳ３−６で現在位置及び過去の位置とから携帯端末装置１１１がたどるであろう経路を予測し、予測された経路に基づいて記憶装置１８３に記憶された情報提供データベースから情報を検索し、ステップＳ３−７で固定通信装置１１２に情報を送信する。
【００７５】
図１０は情報提供データベースのデータ構成図を示す。
【００７６】
情報提供データベースは、店舗内の位置情報ｐ1〜ｐjに対応して提供すべき情報Ｄ1〜Ｄjが記憶された構成とされている。提供すべき情報Ｄ1〜Ｄjは、例えば、商品の宣伝、値引きに関する情報、商品の案内、店舗の案内などデータである。
【００７７】
固定通信装置１１２は、ステップＳ２−１１で情報提供装置１１３から情報を受信すると、ステップＳ２−１２で受信した情報を携帯端末装置１１１に送信する。
【００７８】
携帯端末装置１１３は、ステップＳ１−７で固定通信装置１１２から情報を受信すると、ステップＳ１−８で受信した情報を表示装置１２６に表示する。
【００７９】
図１１は表示装置１２６への情報表示画面の一例を示す図である。図１１（Ａ）はメニュー表示画面、図１１（Ｂ）は個別情報表示画面を示している。
【００８０】
携帯端末装置１１１は、その位置に応じて情報提供装置１１３から情報を受信し、位置に応じた情報として、例えば、図１１（Ａ）に示すようなメニュー表示画面を表示する。
【００８１】
買い物客は、携帯端末装置１１１の入力装置１２７を操作することにより、メニュー表示画面の項目、例えば、キャベツを選択すると、図１１（Ｂ）に示すような選択された商品の情報が表示される。
【００８２】
このように、買い物客自らが所持する携帯端末装置１１１を用いて表示装置１２６に商品・店舗の案内などの情報を表示することにより、買い物客は表示装置１２６に表示された商品・店舗の案内などの情報を見ることによって、割安な商品や求めている商品を容易に購入することが可能となる。
【００８３】
また、携帯端末装置１１１はステップ１−６で買い物客により入力装置１２７が操作されて、情報提供要求操作が行われると、ステップＳ１−７で固定通信装置１１２に情報提供要求を送信する。
【００８４】
固定通信装置１１２は、ステップＳ２−９で携帯端末装置１１１から情報提供要求を受信すると、ステップＳ２−１０で情報提供装置１１３に情報提供要求を送信する。
【００８５】
情報提供装置１１３は、ステップＳ３−５で固定通信装置１１２から情報提供要求を受信すると、ステップＳ３−６で要求された情報に基づいて情報提供データベースなどを検索して、要求された情報を取得し、ステップＳ３−７で固定通信装置１１２に送信する。
【００８６】
固定通信装置１１２は、ステップＳ２−１１で情報提供装置１１３から要求された情報を受信すると、ステップＳ２−１２で情報提供装置１１３から受信した情報を携帯端末装置１１１に送信する。
【００８７】
携帯端末装置１１１は、ステップＳ１−９で固定通信装置１１２から要求した情報を受信すると、ステップＳ１−１０で、例えば、図１１に示すような情報を表示装置１２６に表示する。
【００８８】
なお、ショッピングカート１０４に携帯端末装置１１１を充電するための充電ホルダを設け、携帯端末装置１１１をカート１０４の充電ホルダに装着することにより、携帯端末装置１１１を充電しつつ、情報提供装置１１３から情報を取得することができる。
【００８９】
なお、ここでは、携帯通信装置１１１が情報提供装置１１３から情報の提供を受ける場合について説明したが、カート端末装置１１５でも同様に情報提供装置１１３から情報の提供を受けることができる。
【００９０】
また、本実施例の携帯端末装置１１１は、携帯電話機であり、ネットワーク１０１を介して情報提供装置１１３と通信が可能な構成とされている。このため、買い物客が店舗外のＵＷＢ無線通信１０３の通信範囲外にあるときには情報提供装置１１３からネットワーク１０１を介して携帯端末装置１１１に特売、新製品などの商品情報を提供することができる。また、携帯端末装置１１１からネットワーク１０１を介して情報提供装置１１３に情報の提供を要求することもできる。
【００９１】
本実施例では、買い物客が普段使用している携帯電話機を用いることができるため、買い物客は使い勝手がよい。
【００９２】
なお、本実施例では、携帯端末装置１１１は固定通信装置１１２を介して情報提供装置１１３から提供される情報を表示しているが、カート端末装置１１５と通信を行い、固定通信装置１１２を介して情報提供装置１１３から提供される情報を表示するようにしてもよい。また、カート端末装置１１５に無線ＵＷＢ通信用のインタフェースに加えて、ブルートゥースなどの他の近距離無線通信用のインタフェースを設け、携帯端末装置１１１とカート端末装置１１５との通信を無線ＵＷＢ通信ではなく、携帯端末装置１１１などに既に搭載されているブルートゥースなどの他の近距離無線通信方式を用いて行い、かつ、カート端末装置１１５と固定通信装置１１２との通信を無線ＵＷＢ通信により行うようにしてもよい。これによって、既存のブルートゥースなどの近距離無線通信方式が可能な既存の携帯端末装置を用いることが可能となる。
【００９３】
なお、本発明は上記実施例に限定されるものではなく、本発明の要旨を逸脱しない範囲において種々の変形例が考えられることは言うまでもない。
【図面の簡単な説明】
【００９４】
【図１】本発明の一実施例のシステム構成図である。
【図２】携帯端末装置１１１のブロック構成図である。
【図３】ＵＷＢアンテナ装置１２９の斜視図である。
【図４】固定通信装置１１２のブロック構成図である。
【図５】ショッピングカート１０１の構成図である。
【図６】カート端末装置１１５のブロック構成図である。
【図７】情報提供装置１１３のブロック構成図である。
【図８】情報提供システム１００の処理フローチャートである。
【図９】端末装置１１１の位置検出方法を説明するための図である。
【図１０】情報提供データベースのデータ構成図である。
【図１１】表示装置１２６への情報表示画面の一例を示す図である
【符号の説明】
【００９５】
１００  情報提供システム、１０１  ネットワーク、１０２  商品棚
１０３  近距離無線通信、１０４  ショッピングカート
１１１  携帯端末装置、１１２  通信装置
１１３  情報提供装置、１１４  カート端末装置、１１５  ＰＯＳシステム
１２１  アンテナ装置、１２２  第１通信回路、１２３  処理装置
１２４  マイクロフォン、１２５  スピーカ、１２６  表示装置、１２７  入力装置
１２８  第２通信回路、１２９  ＵＷＢアンテナ装置、１３０  メモリ
１３１  フレキシブルプリント配線板、１３２  エレメントパターン
１３３  グランドパターン、１３４  表面実装ソケットコネクタ
１３５  プラグコネクタ、１３６  同軸ケーブル
１４１  ＵＷＢアンテナ装置、１４２  ＵＷＢ通信ＩＣチップ、１４３  処理装置
１４４  メモリ、１４５  通信回路、１４６  電源回路
１５１  基台、１５２  かご、１５３  車輪、１５４  ハンドル
１６１  装置本体、１６２  バッテリ、１６３  発電機
１７１  ＵＷＢアンテナ装置、１７２  ＵＷＢ通信ＩＣチップ、１７３  処理装置
１７４  表示装置、１７５  タッチパネル、１７６  メモリ、１７７  バーコードリーダ１８１  通信回路、１８２  処理装置、１８３  記憶装置、１８４  メモリ
１８５  入力装置、１８６  表示装置、１８７  電源回路
【図１】
2008242810.tif 000003
【図２】
2008242810.tif 000004
【図３】
2008242810.tif 000005
【図４】
2008242810.tif 000006
【図５】
2008242810.tif 000007
【図６】
2008242810.tif 000008
【図７】
2008242810.tif 000009
【図８】
2008242810.tif 000010
【図９】
2008242810.tif 000011
【図１０】
2008242810.tif 000012
【図１１】
2008242810.tif 000013